(57)【要約】【課題】商品に係る情報及び／又はデータの入力を軽減させ、商品の仕入れから販売までの処理を効率化させることを目的とする。【解決手段】商品に係るオークションに商品を出品する側の出品者端末２と、オークションに参加して商品を購入する側の購入者端末４と、オークションを開催するオークション会場と出品者端末２及び購入者端末３とを中継する中継サーバ１とを有するネットオークションシステムであって、中継サーバ１は、出品者端末２より商品に係る商品データを受信する商品データ受信手段と、商品データ受信手段において受信した商品データを、格納手段に格納する商品データ格納手段とを有し、購入者端末４は、購入対象の商品に係る商品データを、中継サーバ１よりダウンロードするダウンロード手段と、ダウンロード手段においてダウンロードした商品データを利用する利用手段とを有することによって上記課題を解決する。【選択図】        図６
2005062933.tif 000002
【特許請求の範囲】
【請求項１】
商品に係るオークションに商品を出品する側の出品者端末と、前記オークションに参加して商品を購入する側の購入者端末と、前記オークションを開催するオークション会場と前記出品者端末及び前記購入者端末とを中継する中継サーバとを有するネットオークションシステムであって、
前記中継サーバは、
前記出品者端末より前記商品に係る商品データを受信する商品データ受信手段と、
前記商品データ受信手段において受信した前記商品データを、格納手段に格納する商品データ格納手段とを有し、
前記購入者端末は、
購入対象の商品に係る商品データを、前記中継サーバよりダウンロードするダウンロード手段と、
前記ダウンロード手段においてダウンロードした前記商品データを利用する利用手段とを有することを特徴とするネットオークションシステム。
【請求項２】
前記中継サーバは、前記格納手段に格納されている前記商品データを、前記オークション会場に応じて該オークション会場固有のフォーマットに変換する商品データ変換手段を更に有することを特徴とする請求項１記載のネットオークションシステム。
【請求項３】
前記利用手段は、前記ダウンロードした商品に係る商品データに基づいて、商品に係る書類を作成することを特徴とする請求項１又は２記載のネットオークションシステム。
【請求項４】
前記利用手段は、前記ダウンロードした商品に係る商品データを、商品に係る情報誌の掲載に係る処理を行う情報誌端末に送信することを特徴とする請求項１乃至３何れか一項記載のネットオークションシステム。
【請求項５】
前記利用手段は、前記ダウンロードした商品に係る商品データを、商品に係るサイトにアップロードすることを特徴とする請求項１乃至４何れか一項記載のネットオークションシステム。
【請求項６】
商品に係るオークションに商品を出品する側の出品者端末と、前記オークションに参加して商品を購入する側の購入者端末と、前記オークションを開催するオークション会場と前記出品者端末及び前記購入者端末とを中継する中継サーバとを有するネットオークションシステムにおけるネットオークション方法であって、
前記中継サーバが、
前記出品者端末より前記商品に係る商品データを受信する商品データ受信段階と、
前記商品データ受信段階において受信した前記商品データを、格納手段に格納する商品データ格納段階とを有し、
前記購入者端末が、
購入対象の商品に係る商品データを、前記中継サーバよりダウンロードするダウンロード段階と、
前記ダウンロード段階においてダウンロードした前記商品データを利用する利用段階とを有することを特徴とするネットオークション方法。
【請求項７】
商品に係るオークションを開催するオークション会場と前記オークションに商品を出品する側の出品者端末及び前記オークションに参加して商品を購入する側の購入者端末とを中継する中継サーバであって、
前記出品者端末より前記商品に係る商品データを受信する商品データ受信手段と、
前記商品データ受信手段において受信した前記商品データを、格納手段に格納する商品データ格納手段と、
購入対象の商品に係る商品データを利用する前記購入者端末からの要求に基づいて、前記購入対象の商品に係る商品データのダウンロードを許可するダウンロード許可手段と
を有することを特徴とする中継サーバ。
【請求項８】
商品に係るオークションに参加して商品を購入する側の購入者端末であって、
当該購入者端末及び前記オークションに商品を出品する側の出品者端末と前記オークションを開催するオークション会場とを中継する中継サーバより、購入対象の商品に係る商品データをダウンロードするダウンロード手段と、
前記ダウンロード手段においてダウンロードした前記商品データを利用する利用手段と
を有することを特徴とする購入者端末。
【請求項９】
コンピュータに、
商品に係るオークションに商品を出品する側の出品者端末より前記商品に係る商品データを受信する商品データ受信手順と、
前記商品データ受信手順において受信した前記商品データを、格納手段に格納する商品データ格納手順と、
購入対象の商品に係る商品データを利用する前記購入者端末からの要求に基づいて、前記購入対象の商品に係る商品データのダウンロードを許可するダウンロード許可手順と
を実行させるための中継サーバプログラム。
【請求項１０】
コンピュータに、
商品に係るオークションに参加して商品を購入する側の購入者端末及び前記オークションに商品を出品する側の出品者端末と前記オークションを開催するオークション会場とを中継する中継サーバより、購入対象の商品に係る商品データをダウンロードするダウンロード手順と、
前記ダウンロード手順においてダウンロードした前記商品データを利用する利用手順と
を実行させるための購入者端末プログラム。
【請求項１１】
請求項９記載の中継サーバプログラム又は請求項１０記載の購入者端末プログラムを記録したコンピュータ読み取り可能な記録媒体。
【発明の詳細な説明】
【０００１】
【発明の属する技術分野】
本発明は、ネットオークションシステム、ネットオークション方法、中継サーバ、購入者端末、中継サーバプログラム、購入者端末プログラム及び記録媒体に関する。
【０００２】
【従来の技術】
近年、中古車等のネットオークションが一般的に知られるようになった（例えば、特許文献１参照。）。
【０００３】
【特許文献１】
特開２００２−９９７６９号公報
【０００４】
【発明が解決しようとする課題】
しかしながら、上記従来の方法では、例えばオークションで車両を落札した落札者（以下、購入者又は購入店ともいう）は、該車両の見積書や注文書を作成しようとした際には、再び自ら該車両に係るデータを入力しなければならなかった。
【０００５】
また、前記車両を中古車情報誌等に掲載し、販売しようとした場合も、中古車情報誌の取材担当者に当該購入店まで取材に来てもらい、前記購入した車両の写真を撮ってもらったり、原稿を書く際に必要となる車両に係るデータ等を取材担当者に伝えたりする必要がある問題があった。
【０００６】
この様な場合、取材担当者は前記車両に係るデータを前記中古車情報誌の掲載及び／又は編集に使う処理端末等に再び入力する必要があった。このように取材担当者に購入店まで取材に来てもらうと、取材担当者の人件費等は、中古車情報誌の掲載費に反映され、前記購入店は多くの掲載費を払って、中古車情報誌に車両を掲載しなくてはならない問題があった。
【０００７】
また、例えば前記車両を中古車の購買に係るサイト及び／又は前記中古車情報誌のサイト等にアップロードしようとした場合も、購入者が再び前記車両に係るデータを入力したり、前記車両の画像を撮ったりして、中古車の購買に係るサイト及び／又は前記中古車情報誌のサイト等にアップロードする必要がある問題があった。
【０００８】
本発明は、上記の点に鑑みなされたもので、商品に係る情報及び／又はデータの入力を軽減させ、商品の仕入れから販売までの処理を効率化させることを目的とする。
【０００９】
【課題を解決するための手段】
そこで、上記問題を解決するため、本発明は、商品に係るオークションに商品を出品する側の出品者端末と、前記オークションに参加して商品を購入する側の購入者端末と、前記オークションを開催するオークション会場と前記出品者端末及び前記購入者端末とを中継する中継サーバとを有するネットオークションシステムであって、前記中継サーバは、前記出品者端末より前記商品に係る商品データを受信する商品データ受信手段と、前記商品データ受信手段において受信した前記商品データを、格納手段に格納する商品データ格納手段とを有し、前記購入者端末は、購入対象の商品に係る商品データを、前記中継サーバよりダウンロードするダウンロード手段と、前記ダウンロード手段においてダウンロードした前記商品データを利用する利用手段とを有することを特徴とする。
【００１０】
本発明によれば、商品に係る情報及び／又はデータの入力を軽減させ、商品の仕入れから販売までの処理を効率化させることができる。
【００１１】
なお、商品データ受信手段は、例えば後述する車両データ受信部等に対応する。また、商品データ格納手段は、例えば後述する車両データ格納部等に対応する。また、ダウンロード手段は、例えば後述する車両データダウンロード部等に対応する。また、利用手段は、例えば後述する書類作成部、車両データ送信部、車両データアップロード部等に対応する。
【００１２】
また、上記問題を解決するため、本発明は、ネットオークション方法、中継サーバ、購入者端末、中継サーバプログラム、購入者端末プログラム及び記録媒体としてもよい。
【００１３】
【発明の実施の形態】
以下、本発明の実施の形態について図面に基づいて説明する。
【００１４】
図１は、本実施の形態におけるネットオークションシステムの一例を説明するための図である。
【００１５】
図１に示されるように、本実施の形態におけるネットオークションシステムは、ネットワーク５等を介して接続された中継サーバ１と、少なくとも１台以上の出品者端末２と、少なくとも１台以上のオークション会場端末３と、少なくとも１台以上の購入者端末４とを含む。
【００１６】
出品者端末２は、例えば整備工場、中古車販売店等に設置される端末で、出品者によって入力された車両の名前や、年式、車台番号、グレード、形式、車両の画像等のオークションに出品する車両に係るデータを、ネットワーク５を介して中継サーバ１に送信する。
【００１７】
中継サーバ１は、出品者端末２より送信された前記オークションに出品する車両に係るデータを受信し、予め定められた所定のフォーマットに従い、データベース（以下、単にＤＢともいう）に格納する。なお、該ＤＢは、後述する車両データＤＢと同様の構成としてもよい。
【００１８】
また、中継サーバ１は、前記ＤＢに格納されている車両に係るデータを、オークション会場に応じて該オークション会場固有のフォーマットに変換し、該オークション会場に設置されているオークション会場端末３に送信する。なお、車両を出品するオークション会場は、車両の出品者が指定するようにしてもよいし、オークション会場や、車両の購入者等からの落札や需要に係る情報に基づいて、中継サーバ１が指定するようにしてもよい。
【００１９】
また、中継サーバ１は、各オークション会場において行われるオークションを購入者端末４に中継し、購入者端末４からのオークションへの参加を可能とする。
【００２０】
また、中継サーバ１は、購入者端末４からの購入した車両に係るデータのダウンロード要求に基づいて、該要求の有効性を判定し、該要求が有効なものであると判定すると、前記ダウンロード要求を許可する。
【００２１】
一方、ダウンロードを許可された購入者端末４は、購入した車両に係るデータを中継サーバ１のＤＢ等より、ダウンロードし、例えば購入者端末４内の後述する車両データＤＢ等に保存する。
【００２２】
購入者端末４は、購入者等からの要求に応じて、前記ダウンロードした車両に係るデータに基づいて、前記車両に係る見積書や注文書等を作成し、例えばＬＡＮ（Ｌｏｃａｌ  Ａｒｅａ  Ｎｅｔｗｏｒｋ）等で接続されているプリンタ等より前記見積書や注文書をプリントアウトする。
【００２３】
また、購入者端末４は、購入者等からの要求に応じて、前記ダウンロードした車両に係るデータを、例えば、中古車の情報誌等を発行している出版社等に設置されている情報誌端末に送信したり、中古車の購買に係るサイト及び／又は前記中古車情報誌のサイト等にアップロードしたりする。
【００２４】
なお、購入者端末４も出品者端末２と同様、例えば整備工場、中古車販売店等に設置される。また、ネットワーク５は、ＬＡＮやインターネット等のネットワークを表す。
【００２５】
以下、中継サーバ１のハードウェア構成を、図２を用いて説明する。図２は、中継サーバのハードウェア構成の一例を説明するための図である。
【００２６】
図２に示されるように、中継サーバ１のハードウェア構成は、それぞれバスで相互に接続されている入力装置２２と、表示装置２３と、ドライブ装置２４と、記録媒体２５と、ハードディスク２６と、メモリ装置２７と、演算処理装置２０と、インタフェース装置２１とを含む。
【００２７】
入力装置２２は、中継サーバ１を操作するためのキーボード及びマウス等で構成され、中継サーバ１に各種操作信号を入力するために用いられる。表示装置２３は、中継サーバ１を操作するのに必要な各種ウィンドウやデータ等を表示する。インタフェース装置２１は、中継サーバ１をネットワーク５に接続するためのインタフェースや他の機器を接続するためのインタフェースであり、例えばＮＩＣ（Ｎｅｔｗｏｒｋ  Ｉｎｔｅｒｆａｃｅ  Ｃａｒｄ）やモデム、ＵＳＢ（Ｕｎｉｖｅｒｓａｌ  Ｓｅｒｉａｌ  Ｂｕｓ）等で構成される。
【００２８】
そして、中継サーバ１を動作させるためのプログラム（以下、中継サーバプログラムともいう）は、ＣＤ−ＲＯＭ等の記録媒体２５によって提供されるか、ネットワーク５を通じてダウンロードされる。また、記録媒体２５は、ドライブ装置２４にセットされ、データや中継サーバプログラムが記録媒体２５からドライブ装置２４を介してハードディスク２６にインストールされる。
【００２９】
ハードディスク２６は、データや中継サーバプログラムを格納すると共に、必要なファイル等を格納する。メモリ装置２７は、中継サーバ１の起動時にハードディスク２６から中継サーバプログラムを読み出して格納する。演算処理装置２０は、メモリ装置２７に読み出され格納された中継サーバプログラムに従って処理を実行する。
【００３０】
なお、出品者端末２、オークション会場端末３、購入者端末４等のハードウェア構成も図２に示した中継サーバ１のハードウェア構成と同様である。
【００３１】
以下、中継サーバプログラムの機能構成の一例を、図３を用いて説明する。図３は、中継サーバプログラムの機能構成の一例を説明するための図である。
【００３２】
図３に示されるように、中継サーバプログラムは、車両データ受信部３０と、車両データ格納部３１と、車両データ変換部３２と、ダウンロード許可部３３とを含む。
【００３３】
車両データ受信部３０は、出品者端末２より送信されたオークションに出品する車両に係るデータを受信する。
【００３４】
車両データ格納部３１は、車両データ受信部３０が受信した前記車両に係るデータを予め定められた所定のフォーマットに従い、ＤＢ等に格納する。
【００３５】
車両データ変換部３２は、前記ＤＢ等に格納されている車両に係るデータを、オークション会場に応じて該オークション会場固有のフォーマットに変換する。
【００３６】
ダウンロード許可部３３は、購入者端末４からの購入した車両に係るデータのダウンロード要求に基づいて、該要求の有効性を判定し、該要求が有効なものであると判定すると、前記ダウンロード要求を許可する。例えば、中継サーバ１は、落札された車両を識別する識別情報及び該車両を落札した落札者（購入者）を識別する識別情報等を保持しており、前記ダウンロード要求に含まれる前記車両の識別情報及び購入者の識別情報に基づいて、有効な購入者によるダウンロード要求かどうかを判定し、許可する。
【００３７】
以下、購入者端末４を動作させるためのプログラム（以下、購入者端末プログラムともいう）の機能構成の一例を、図４を用いて説明する。図４は、購入者端末プログラムの機能構成の一例を説明するための図である。
【００３８】
図４に示されるように、購入者端末プログラムは、車両データダウンロード部４０と、書類作成部４１と、車両データ送信部４２と、車両データアップロード部４３とを含む。
【００３９】
車両データダウンロード部４０は、購入した車両に係るデータのダウンロード要求を中継サーバ１に送信し、前記車両に係るデータをダウンロードする。
【００４０】
書類作成部４１は、購入者等からの要求に応じて、車両データダウンロード部４０においてダウンロードした前記車両に係るデータに基づいて、前記車両に係る見積書や注文書の雛形に、前記車両に係るデータを代入し、見積書や注文書等の書類を作成する。なお、見積書や注文書の雛形の一例を後述する図７と図８を用いて説明する。
【００４１】
車両データ送信部４２は、購入者等からの要求に応じて、車両データダウンロード部４０においてダウンロードした前記車両に係るデータを、例えば中古車の情報誌等を発行している出版社等に設置されている情報誌端末に送信する。
【００４２】
車両データアップロード部４３は、車両データダウンロード部４０においてダウンロードした前記車両に係るデータを、例えば中古車の購買に係るサイト及び／又は前記中古車情報誌のサイト等にアップロードする。
【００４３】
以下、車両データＤＢに含まれるテーブルの一例を、図５を用いて説明する。図５は、車両データＤＢに含まれるテーブルの一例を説明するための図である。
【００４４】
図５に示されるように、車両データＤＢは、車両データテーブルをテーブルとして含む。また、車両データテーブルは、図５に示されるように、車台番号、年式、車名、グレード、型式、車両画像等を項目として含む。
【００４５】
車台番号には、中継サーバ１からダウンロードした購入車両の車台番号が格納される。また、年式には、中継サーバ１からダウンロードした購入車両の年式が格納される。また、車名には、中継サーバ１からダウンロードした購入車両の車名が格納される。また、グレードには、中継サーバ１からダウンロードした購入車両のグレードが格納される。また、型式には、中継サーバ１からダウンロードした購入車両の型式が格納される。また、車両画像には、中継サーバ１からダウンロードした購入車両の車両画像が格納される。
【００４６】
なお、図５には図示していないが、車両データテーブルに、走行距離や、ボディカラー等の項目を含めてもよいし、車両データＤＢに、車台番号をキーとして、該車両の購入金額等を項目として含むテーブルを含めるようにしてもよい。
【００４７】
以下、ネットオークションシステムの処理の一例を、図６を用いて説明する。図６は、ネットオークションシステムの処理の一例を説明するためのシーケンス図である。
【００４８】
出品者端末２は、出品者によって入力された車両の名前や、年式、車台番号、グレード、形式、車両の画像等のオークションに出品する車両に係るデータを、中継サーバ１に送信する（図６のシーケンスＳ１。）。
【００４９】
中継サーバ１は、出品者端末２より送信された前記オークションに出品する車両に係るデータを受信し、予め定められた所定のフォーマットに従い、ＤＢに格納する。また、中継サーバ１は、前記ＤＢに格納されている車両に係るデータを、オークション会場に応じて該オークション会場固有のフォーマットに変換し、該オークション会場に設置されているオークション会場端末３に送信する（図６のシーケンスＳ２。）。
【００５０】
また、中継サーバ１は、前記車両に係るデータを送信した送信先のオークション会場端末３より、前記車両の落札に係る落札情報を受信する（図６のシーケンスＳ３。）。
【００５１】
なお、落札情報は、落札した落札者（購入者）を識別する識別情報、落札された車両を識別する識別情報、落札金額等を含む。
【００５２】
また、中継サーバ１は、前記落札情報を、前記車両を落札した落札者（購入者）の購入者端末４に送信する（図６のシーケンスＳ４。）。
【００５３】
一方、購入者端末４は、購入者からの要求に基づいて、落札した落札者（購入者）を識別する識別情報及び落札した車両を識別する識別情報等を含む、購入した車両に係るデータのダウンロード要求を中継サーバ１に送信する（図６のシーケンスＳ５。）。
【００５４】
中継サーバ１は、購入者端末４からの、購入した車両に係るデータのダウンロード要求に基づいて、該要求の有効性を判定し、該要求が有効なものであると判定すると、前記ダウンロード要求を許可する。
【００５５】
中継サーバ１によってダウンロード要求が許可されると、購入者端末４は、中継サーバ１より購入した車両に係るデータをダウンロードする（図６のシーケンスＳ６。）。
【００５６】
購入者端末４は、ダウンロードした車両に係るデータを、例えば、図５に示されるような車両データテーブルに格納する。また、購入者端末４は、購入者等からの要求に応じて、ダウンロードした前記車両に係るデータに基づいて、前記車両に係る見積書や注文書の雛形に前記車両に係るデータを代入し、見積書や注文書を作成する。
【００５７】
また、購入者端末４は、購入者等からの要求に応じて、前記ダウンロードした車両に係るデータを、中古車の情報誌等を発行している出版社等に設置されている情報誌端末に送信する（図６のシーケンスＳ７。）。
【００５８】
また、購入者端末４は、購入者等からの要求に応じて、前記ダウンロードした車両に係るデータを、中古車の購買に係るサイト及び／又は前記中古車情報誌のサイト等にアップロードする（図６のシーケンスＳ８。）。
【００５９】
なお、シーケンスＳ７及びシーケンスＳ８の処理の順番はどちらが先であってもよい。
【００６０】
以下、見積書及び注文書の雛形の一例を、図７及び図８を用いて説明する。図７は、見積書の雛形の一例を説明するための図である。
【００６１】
上述したように、購入者端末４は、購入者等からの要求に応じて、中継サーバ１よりダウンロードした前記車両に係るデータに基づいて、図７に示される見積書の雛形に前記車両に係るデータを代入する。購入者端末４は、前記車両に係るデータを入力した見積書の雛形を購入者端末４のディスプレイ等に表示し、残りの空白を埋めるよう購入者に要求したり、購入者からの要求に応じて前記車両に係るデータを入力した見積書をプリントアウトしたりする。
【００６２】
図８は、注文書の雛形の一例を説明するための図である。上述したように、購入者端末４は、購入者等からの要求に応じて、中継サーバ１よりダウンロードした前記車両に係るデータに基づいて、図８に示される注文書の雛形に前記車両に係るデータを代入する。購入者端末４は、前記車両に係るデータを入力した注文書の雛形を購入者端末４のディスプレイ等に表示し、残りの空白を埋めるよう購入者に要求したり、購入者からの要求に応じて前記車両に係るデータを入力した注文書をプリントアウトしたりする。
【００６３】
以下、中継サーバ１における処理の一例を、図９を用いて説明する。図９は、中継サーバにおける処理の一例を説明するためのフローチャートである。
【００６４】
ステップＳ１０において、中継サーバ１は、出品者端末２より送信されたオークションに出品する車両に係るデータを受信する。
【００６５】
ステップＳ１０に続いてステップＳ１１に進み、中継サーバ１は、ステップＳ１０において受信した車両に係るデータを予め定められた所定のフォーマットに従い、ＤＢに格納する。
【００６６】
ステップＳ１１に続いてステップＳ１２に進み、中継サーバ１は、ステップＳ１１においてＤＢに格納した車両に係るデータを、オークション会場に応じて該オークション会場固有のフォーマットに変換する。
【００６７】
ステップＳ１２に続いてステップＳ１３に進み、中継サーバ１は、ステップＳ１２においてオークション会場固有のフォーマットに変換した車両に係るデータを、該オークション会場に設置されているオークション会場端末３に送信する。
【００６８】
ステップＳ１３に続いてステップＳ１４に進み、中継サーバ１は、ステップＳ１３において車両に係るデータを送信した送信先のオークション会場端末３より、前記車両の落札に係る落札情報を受信する。
【００６９】
ステップＳ１４に続いてステップＳ１５に進み、中継サーバ１は、ステップＳ１４において受信した前記落札情報を、落札した落札者（購入者）に係る情報に基づいて、前記車両を落札した落札者（購入者）の購入者端末４に送信する。
【００７０】
図９に示したような処理を行うことによって、オークションに車両を出品する出品者は、一度車両に係るデータを入力するだけで、出品者が指定及び／又は中継サーバ１が指定したオークションに、車両を出品することができる。また、落札者（購入者）は、落札した車両や落札金額等の落札情報を、中継サーバ１を介してオークション会場端末３等より受け取ることができる。
【００７１】
以下、中継サーバ１におけるダウンロード要求判定処理の一例を、図１０を用いて説明する。図１０は、中継サーバにおけるダウンロード要求判定処理の一例を説明するためのフローチャートである。
【００７２】
ステップＳ２０において中継サーバ１は、購入者端末４より、購入した車両に係るデータのダウンロード要求を受信したかどうかを判定する。中継サーバ１は、購入者端末４より、購入した車両に係るデータのダウンロード要求を受信したと判定すると（ステップＳ２０においてＹＥＳ）、ステップＳ２１に進み、受信していないと判定すると（ステップＳ２０においてＮＯ）、ステップＳ２０からの処理を繰り返す。
【００７３】
ステップＳ２１では、中継サーバ１が、受信したダウンロード要求が有効なダウンロード要求かどうかを判定する。有効なダウンロード要求であると判定すると（ステップＳ２１においてＹＥＳ）、ステップＳ２２に進み、有効なダウンロード要求でないと判定すると（ステップＳ２１においてＮＯ）、ステップＳ２０からの処理を繰り返す。
【００７４】
例えば、中継サーバ１は、オークション会場端末３等より受信した落札された車両を識別する識別情報及び該車両を落札した落札者（購入者）を識別する識別情報等の落札情報を保持し、前記ダウンロード要求に含まれる前記車両の識別情報及び購入者の識別情報等と比較することによって、ダウンロード要求の有効性を判定する。
【００７５】
ステップＳ２２では、中継サーバ１が、対応する購入者端末４による、購入した車両に係るデータのダウンロードを許可する。例えば、中継サーバ１は、ＤＢ等に保持している、対応する車両に係るデータの属性を変更させ、ダウンロード可能にしたりすることによって、ダウンロードを許可する。
【００７６】
図１０に示したような処理を行うことによって、中継サーバ１は、購入者端末４からのダウンロード要求の有効性を判定し、有効なダウンロード要求である場合は、対応する車両に係るデータのダウンロードを許可することができる。
【００７７】
以下、購入者端末４におけるダウンロード処理の一例を、図１１を用いて説明する。図１１は、購入者端末におけるダウンロード処理を説明するためのフローチャートである。
【００７８】
ステップＳ３０において、購入者端末４は、購入者端末４のユーザ（購入者）等から、購入した車両に係るデータをダウンロードする旨のダウンロード要求があったかどうかを判定する。購入者端末４は、ダウンロード要求があったと判定すると（ステップＳ３０においてＹＥＳ）、ステップＳ３１に進み、ダウンロード要求がなかったと判定すると（ステップＳ３０においてＮＯ）、ステップＳ３０からの処理を繰り返す。
【００７９】
例えば、購入者端末４は、当該購入者端末４が提供する画面において、前記ユーザが、ダウンロードボタンをクリックすると、購入した車両に係るデータをダウンロードする旨のダウンロード要求があったと判定する。
【００８０】
ステップＳ３１では、購入者端末４が、購入した車両に係るデータのダウンロード要求を中継サーバ１に送信する。
【００８１】
ステップＳ３１に続いてステップＳ３２に進み、購入者端末４は、中継サーバ１によって前記購入した車両に係るデータのダウンロードを許可されたかどうかを判定する。購入者端末４は、許可されたと判定すると（ステップＳ３２においてＹＥＳ）、ステップＳ３３に進み、許可されなかったと判定すると（ステップＳ３２においてＮＯ）、ステップＳ３０からの処理を繰り返す。
【００８２】
例えば購入者端末４は、ダウンロードを要求した車両に係るデータの属性をチェックして、該属性が「ダウンロード可能」になっていた場合は、ダウンロードを許可されたと判定する。
【００８３】
ステップＳ３３では、購入者端末４が、要求した車両に係るデータを中継サーバ１よりダウンロードする。
【００８４】
図１１に示したような処理を行うことによって、購入者端末４は、購入した車両に係るデータを中継サーバ１よりダウンロードすることができる。
【００８５】
以下、購入者端末４における見積書作成処理の一例を、図１２を用いて説明する。図１２は、購入者端末における見積書作成処理の一例を説明するための図である。なお、注文書の作成処理も、以下に示す見積書の作成処理と同様である。
【００８６】
ステップＳ４０において、購入者端末４は、購入者端末４のユーザ（購入者）等から、見積書の作成要求があったかどうかを判定する。購入者端末４は、作成要求があったと判定すると（ステップＳ４０においてＹＥＳ）、ステップＳ４１に進み、作成要求がなかったと判定すると（ステップＳ４０においてＮＯ）、ステップＳ４０からの処理を繰り返す。
【００８７】
例えば、購入者端末４は、当該購入者端末４が提供する画面において、前記ユーザが、見積書の作成ボタンをクリックすると、見積書の作成要求があったと判定する。
【００８８】
ステップＳ４１では、購入者端末４が、図７において説明した見積書の雛形に中継サーバ１よりダウンロードした車両に係るデータを代入し、見積書を作成する。
【００８９】
図１２に示したような処理を行うことによって、購入者端末４は、中継サーバ１よりダウンロードした車両に係るデータを用いて、見積書や注文書等を作成することができる。なお、作成する書類は見積書や注文書以外のものであってもよい。
【００９０】
以下、購入者端末４における車両データ送信処理の一例を、図１３を用いて説明する。図１３は、購入者端末における車両データ送信処理の一例を説明するためのフローチャートである。
【００９１】
ステップＳ５０において、購入者端末４は、購入者端末４のユーザ（購入者）等から、中継サーバ１よりダウンロードした車両に係るデータの送信要求があったかどうかを判定する。購入者端末４は、送信要求があったと判定すると（ステップＳ５０においてＹＥＳ）、ステップＳ５１に進み、送信要求がなかったと判定すると（ステップＳ５０においてＮＯ）、ステップＳ５０からの処理を繰り返す。
【００９２】
例えば、購入者端末４は、当該購入者端末４が提供する画面において、前記ユーザが、車両に係るデータの送信ボタンをクリックすると、中継サーバ１よりダウンロードした車両に係るデータの送信要求があったと判定する。
【００９３】
ステップＳ５１では、購入者端末４が、中継サーバ１よりダウンロードした車両に係るデータを、例えば中古車の情報誌等を発行している出版社等に設置されている情報誌端末に送信する。
【００９４】
図１３に示したような処理を行うことによって、購入者端末４は、中継サーバ１よりダウンロードした車両に係るデータを、例えば中古車の情報誌等を発行している出版社等に設置されている情報誌端末に送信することができる。したがって、取材担当者に当該購入店まで取材に来てもらい、購入した車両の写真を撮ってもらったり、原稿を書く際に必要となる車両に係るデータ等を取材担当者に伝えたりする必要がなくなる。
【００９５】
以下、購入者端末４における車両データのアップロード処理の一例を、図１４を用いて説明する。図１４は、購入者端末における車両データのアップロード処理の一例を説明するためのフローチャートである。
【００９６】
ステップＳ６０において、購入者端末４は、購入者端末４のユーザ（購入者）等から、中継サーバ１よりダウンロードした車両に係るデータのアップロード要求があったかどうかを判定する。購入者端末４は、アップロード要求があったと判定すると（ステップＳ６０においてＹＥＳ）、ステップＳ６１に進み、アップロード要求がなかったと判定すると（ステップＳ６０においてＮＯ）、ステップＳ６０からの処理を繰り返す。
【００９７】
例えば、購入者端末４は、当該購入者端末４が提供する画面において、前記ユーザが、車両に係るデータのアップロードボタンをクリックすると、中継サーバ１よりダウンロードした車両に係るデータのアップロード要求があったと判定する。
【００９８】
ステップＳ６１では、購入者端末４が、中継サーバ１よりダウンロードした車両に係るデータを、例えば中古車の購買に係るサイト及び／又は前記中古車情報誌のサイト等にアップロードする。
【００９９】
図１４に示したような処理を行うことによって、購入者端末４は、中継サーバ１よりダウンロードした車両に係るデータを、例えば中古車の購買に係るサイト及び／又は前記中古車情報誌のサイト等にアップロードすることができる。したがって、例えば購入者はわざわざ購入した車両に係るデータを再び入力する事無く、中古車の購買に係るサイト及び／又は前記中古車情報誌のサイト等に前記車両を載せ、購入した車両を販売することができる。
【０１００】
【発明の効果】
上述の如く、本発明によれば、商品に係る情報及び／又はデータの入力を軽減させ、商品の仕入れから販売までの処理を効率化させることができる。
【０１０１】
【図面の簡単な説明】
【図１】本実施の形態におけるネットオークションシステムの一例を説明するための図である。
【図２】中継サーバのハードウェア構成の一例を説明するための図である。
【図３】中継サーバプログラムの機能構成の一例を説明するための図である。
【図４】購入者端末プログラムの機能構成の一例を説明するための図である。
【図５】車両データＤＢに含まれるテーブルの一例を説明するための図である。
【図６】ネットオークションシステムの処理の一例を説明するためのシーケンス図である。
【図７】見積書の雛形の一例を説明するための図である。
【図８】注文書の雛形の一例を説明するための図である。
【図９】中継サーバにおける処理の一例を説明するためのフローチャートである。
【図１０】中継サーバにおけるダウンロード要求判定処理の一例を説明するためのフローチャートである。
【図１１】購入者端末におけるダウンロード処理を説明するためのフローチャートである。
【図１２】購入者端末における見積書作成処理の一例を説明するための図である。
【図１３】購入者端末における車両データ送信処理の一例を説明するためのフローチャートである。
【図１４】購入者端末における車両データのアップロード処理の一例を説明するためのフローチャートである。
【符号の説明】
１    中継サーバ
２    出品者端末
３    オークション会場端末
４    購入者端末
５    ネットワーク
２０    演算処理装置
２１    インタフェース装置
２２    入力装置
２３    表示装置
２４    ドライブ装置
２５    記録媒体
２６    ハードディスク
２７    メモリ装置
３０    車両データ受信部
３１    車両データ格納部
３２    車両データ変換部
３３    ダウンロード許可部
４０    車両データダウンロード部
４１    書類作成部
４２    車両データ送信部
４３    車両データアップロード部
【図１】
2005062933.tif 000003
【図２】
2005062933.tif 000004
【図３】
2005062933.tif 000005
【図４】
2005062933.tif 000006
【図５】
2005062933.tif 000007
【図６】
2005062933.tif 000008
【図７】
2005062933.tif 000009
【図８】
2005062933.tif 000010
【図９】
2005062933.tif 000011
【図１０】
2005062933.tif 000012
【図１１】
2005062933.tif 000013
【図１２】
2005062933.tif 000014
【図１３】
2005062933.tif 000015
【図１４】
2005062933.tif 000016